【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
上下に貫通する複数の排水口を間に形成するように、間隔をおいて並設される複数のメインバーを有する、グレーチング本体と、前記複数の排水口のうちの一部の排水口を塞ぐように設けられて、前記グレーチング本体の上方に臨む、化粧性を備えた透水性の詰め込み材とを備えて、前記詰め込み材で塞がれる、前記排水口としての第１排水口と、前記詰め込み材で塞がれない、前記排水口としての第２排水口とを有し、
前記グレーチング本体には、上方が、前記詰め込み材が収容される収容部となるように、前記詰め込み材が載せられる底板が設けられており、
前記収容部と前記底板の下方との間には、それら収容部と底板の下方とを連通する排水通路が設けられている、グレーチング。
【請求項２】
前記底板には、前記排水通路となる貫通孔が形成され、その底板の上面に、前記貫通孔に向かって下る傾斜面を有する、請求項１に記載のグレーチング。
【請求項３】
前記底板と、前記詰め込み材を挟む前記メインバーとの間には、間隙が設けられ、その間隙が前記排水通路となっている、請求項１に記載のグレーチング。
【請求項４】
前記底板は、その上面に、前記間隙に向かって下る傾斜面を有する、請求項３に記載のグレーチング。
【請求項５】
前記底板は、その幅方向の両側端部が下方に下がるように屈曲している、請求項３に記載のグレーチング。
【請求項６】
前記底板は、一方の側端部が、他方の側端部よりも下方に位置するように傾斜し、かつ、前記一方の側端部と前記メインバーとの間に前記間隙が形成される、請求項３に記載のグレーチング。
【請求項７】
前記底板には、貫通孔が形成され、その貫通孔と前記間隙が前記排水通路となっている、請求項３に記載のグレーチング。
【請求項８】
前記グレーチング本体は、前記詰め込み材が前記収容部から上方に抜け出るのを阻止する抜け止め具を備え、
その抜け止め具は、上部に前記詰め込み材と掛かり合う掛け止め部を有して、前記排水通路を一部に残すように、かつ、下部が前記底板から下方に突き出るように、前記貫通孔に挿通されている、請求項２または７に記載のグレーチング。
【請求項９】
前記底板は、前記第１排水口の上下方向における途中位置に設けられている、請求項１ないし８のいずれか１項に記載のグレーチング。
【請求項１０】
前記第１排水口は、前記第２排水口より幅広に形成されている、請求項１ないし９のいずれか１項に記載のグレーチング。
【請求項１１】
前記第１排水口および第２排水口は、交互に並んでいる、請求項１ないし１０のいずれか１項に記載のグレーチング。
【手続補正２】
【補正対象書類名】明細書
【補正対象項目名】全文
【補正方法】変更
【補正の内容】
【発明の詳細な説明】
【発明の名称】グレーチング
【技術分野】
【０００１】
この発明は、周囲の景観と調和するように、化粧性を備えた詰め込み材が設けられたグレーチングに関するものである。
【背景技術】
【０００２】
従来、周りの景観と調和するように、化粧材が設けられたグレーチングとしては、例えば、図９および図１０に示すものがあった。このグレーチング１００は、上下に貫通する第１通孔１０１を間に形成すべく互いに間隔をおいて並設される板部材１０１ａ、１０１ａと、上下に貫通する第２通孔１０２を間に形成すべく、前記板部材１０１ａ、１０１ａ上に互いに間隔をおいて並設される、上方に開口した溝部材１０２ａ、１０２ａとを有していた。そして、溝部材１０２ａ、１０２ａには、その開口を塞ぐようにして、周りの景観と調和する化粧材１０３、１０３が詰め込まれていた。
【０００３】
このグレーチング１００によれば、化粧材１０３、１０３が前記グレーチング１００の上方に臨むので、側溝等の排水設備上に、周囲の景観と調和して配備できた。そして、道路上を流れる雨水等は、第２通孔１０２、１０２および第１通孔１０１、１０１を通って、排水設備内に流れ込んで、排水された。
【発明の開示】
【発明が解決しようとする課題】
【０００４】
ところで、グレーチング１００を周囲の景観とよりよく調和させるためには、溝部材１０２ａ、１０２ａ間の間隔を小さくして、化粧材１０３、１０３がグレーチング１００の上方に臨む面積を大きくする必要があった。したがって、グレーチング１００と周囲の景観との調和をよくすればするほど、第２通孔１０２、１０２の開口面積が小さくなり、雨水等を十分に排水できなくなる虞があった。逆に、グレーチングの排水性をよくするためには、溝部材１０２ａ、１０２ａ間の間隔を大きくしなければならず、周囲の景観との調和に支障が生ずる虞があった。
【０００５】
この発明は、上記した従来の問題を解決するためになされたものであり、その目的とするところは、周囲の景観と調和させることができ、かつ、排水性に優れたグレーチングを提供することにある。
【課題を解決するための手段】
【０００６】
この発明に係るグレーチングは、前記目的を達成するために、次の構成からなる。すなわち、
請求項１に記載の発明に係るグレーチングは、上下に貫通する複数の排水口を間に形成するように、間隔をおいて並設される複数のメインバーを有する、グレーチング本体と、前記複数の排水口のうちの一部の排水口を塞ぐように設けられて、前記グレーチング本体の上方に臨む、化粧性を備えた透水性の詰め込み材とを備え、前記詰め込み材で塞がれる、前記排水口としての第１排水口と、前記詰め込み材で塞がれない、前記排水口としての第２排水口とを有している。ここで、前記グレーチング本体には、上方が、前記詰め込み材が収容される収容部となるように、前記詰め込み材が載せられる底板が設けられている。そして、前記収容部と、前記底板の下方との間には、それら収容部と底板の下方とを連通する排水通路が設けられている。
【０００７】
このグレーチングによれば、透水性の詰め込み材がグレーチング本体の上方に臨むように設けられているので、その詰め込み材の色調等をグレーチングが配備される周囲の景観に合わせることで、周囲の景観と調和よく配備することができる。また、このグレーチングを側溝とか集水枡等の排水設備に配備すると、道路上を流れる雨水等は、詰め込み材で塞がれていない第２排水口においては、その開口を通って排水設備内に排出されるとともに、詰め込み材で塞がれた第１排水口においては、詰め込み材内に浸透し、排水通路を通って排水設備内に排出される。
【０００８】
また、請求項２に記載の発明に係るグレーチングのように、請求項１に記載のグレーチングにおいて、前記底板には、前記排水通路となる貫通孔が形成され、その底板の上面に、前記貫通孔に向かって下る傾斜面を有するのが望ましい。これによれば、詰め込み材内に浸透した雨水等は、傾斜面上を貫通孔に向かって流れ落ち、確実に貫通孔に流れ込むので、詰め込み材内に滞留する虞が少なく、確実に排水される。
【０００９】
また、請求項３に記載の発明に係るグレーチングのように、請求項１に記載のグレーチングにおいて、前記底板と前記詰め込み材を挟む前記メインバーとの間には、間隙が設けられ、その間隙が前記排水通路となっていてもよい。
【００１０】
また、請求項４に記載の発明に係るグレーチングのように、請求項３に記載のグレーチングにおいて、前記底板は、その上面に、前記間隙に向かって下る傾斜面を有するのが望ましい。これによれば、詰め込み材内に浸透した雨水等は、傾斜面上を間隙に向かって流れ落ちて、確実に間隙に流れ込むので、詰め込み材内に滞留する虞が少なく、確実に排水される。
【００１１】
また、請求項５に記載の発明に係るグレーチングのように、請求項３に記載のグレーチングにおいて、前記底板は、その幅方向の両側端部が下方に下がるように屈曲していてもよい。
【００１２】
また、請求項６に記載の発明に係るグレーチングのように、請求項３に記載のグレーチングにおいて、前記底板は、一方の側端部が、他方の側端部よりも下方に位置するように傾斜し、かつ、前記一方の側端部と前記メインバーとの間に前記間隙が形成されていてもよい。
【００１３】
また、請求項７に記載の発明に係るグレーチングのように、請求項３に記載のグレーチングにおいて、前記底板には、貫通孔が形成され、その貫通孔と前記間隙が前記排水通路となっていてもよい。これによれば、詰め込み材内に浸透した雨水等は、貫通孔と間隙の両方を通って排水設備内に排水されるので、詰め込み材内に滞留する虞が少なく、確実に排水される。
【００１４】
また、請求項８に記載の発明に係るグレーチングのように、請求項２または７に記載のグレーチングにおいて、前記グレーチング本体は、前記詰め込み材が前記収容部から上方に抜け出るのを阻止する、抜け止め具を備え、その抜け止め具は、上部に前記詰め込み材と掛かり合う掛け止め部を有して、前記排水通路を一部に残すように、かつ、下部が前記底板から下方に突き出るように、前記貫通孔に挿通されている。これによれば、抜け止め具の掛け止め部が詰め込み材と掛かり合うことで、詰め込み材は、その抜けが阻止されて、収容部内に確実に保持される。また、抜け止め具が、排水通路を一部に残し、さらに、その抜け止め具の下部が底板の下方に突き出るようにして、前記貫通孔に挿通されているので、詰め込み材内に浸透した雨水等は、抜け止め具を伝い落ちることで、確実に底板の下方に導かれる。
【００１５】
また、請求項９に記載の発明に係るグレーチングのように、請求項１ないし８のいずれか１項に記載のグレーチングにおいて、前記底板は、前記第１排水口の上下方向における途中位置に設けられていてもよい。前記第１排水口の上下方向における途中位置よりも上方の部分が収容部となり、その収容部内に詰め込み材が収容されることで、前記第１排水口は、詰め込み材で塞がれることとなる。したがって、前記第１排水口を塞ぐための詰め込み材の容量を小さくすることができる。
【００１６】
また、請求項１０に記載の発明に係るグレーチングのように、請求項１ないし９のいずれか１項に記載のグレーチングにおいて、前記第１排水口は、前記第２排水口より幅広に形成されていてもよい。
【００１７】
また、請求項１１に記載の発明に係るグレーチングのように、請求項１ないし１０のいずれか１項に記載のグレーチングにおいて、前記第１排水口および第２排水口は、交互に並んでいることが望ましい。
【発明の効果】
【００１８】
この発明に係るグレーチングによれば、化粧性を備えた透水性の詰め込み材が、グレーチング本体の上方に臨んでいるので、このグレーチングを周囲の景観と調和させることができる。また、道路上を流れる雨水が、詰め込み材で塞がれていない第２排水口を介して排水設備内に排水されるだけでなく、詰め込み材で塞がれた第１排水口の前記詰め込み材内に浸透し、排水通路を介して排水されるので、このグレーチングは、排水性に優れたものとなる。
【発明を実施するための最良の形態】
【００１９】
以下、この発明に係るグレーチングを実施するための最良の形態を図面に基づいて説明する。
【００２０】
図１ないし図４は、本発明の第１の実施の形態を示す。図中符号１は、グレーチングである。このグレーチング１は、例えば、側溝とか集水枡等の蓋として用いられたり、あるいは、床や階段の床板として用いられたりするグレーチングであって、図示実施の形態には、特に、側溝の蓋として用いられるグレーチングが示されている。
【００２１】
このグレーチング１は、上下に貫通する複数の排水口３、３を間に形成するように、間隔をおいて並設される複数の排水口形成部材４、４を有する、グレーチング本体２と、前記複数の排水口３、３のうちの一部の排水口を塞ぐように設けられて、前記グレーチング本体２の上方に臨む、化粧性を備えた透水性の詰め込み材５とを備える。ここで、グレーチング本体２には、上方が、前記詰め込み材５が収容される収容部７となるように、前記詰め込み材５が載せられる底板６が設けられている。そして、この収容部７と前記底板６の下方との間には、それら収容部７と底板６の下方とを連通する排水通路８が設けられている。さらに、図示実施の形態においては、グレーチング本体２は、詰め込み材５が収容部７から上方に抜け出るのを阻止する、抜け止め手段９を有する。
【００２２】
具体的には、グレーチング本体２は、排水口形成部材４、４としてのメインバー２０、２０（詳細には、ベアリングバー）と、メインバー２０、２０の上端部分を繋ぐように取り付けられて、それらメインバー２０、２０に直交するように並ぶ補助バー２１、２１（詳細には、ツイストバー）と、メインバー２０、２０に直交するとともにそれらメインバー２０、２０の各側端面に当接するエンドバー２２、２２とを備え、略四角形状をしている。また、グレーチング本体２には、メインバー２０、２０の両側端部の下側にかさ上げ材２３、２３が設けられている。
【００２３】
メインバー２０、２０は、上下の端部に両側方に突き出る突条２０ａ、２０ａを有し、縦断面略Ｉ字形状をしている（図３参照。）。そして、それらメインバー２０、２０は、間に複数の排水口３、３を形成するように、詳細には、前記詰め込み材５で塞がれる第１排水口３ａ、３ａと、前記詰め込み材５で塞がれない第２排水口３ｂ、３ｂを間に形成するように、所定の間隔をおいて並設されている。図示実施の形態においては、第１排水口３ａは、第２排水口３ｂより幅広に形成されている。また、第１排水口３ａ、３ａおよび第２排水口３ｂ、３ｂは、交互に並んでいる。
【００２４】
そして、複数の排水口３、３のうちの一部の排水口である第１排水口３ａ、３ａには、その上下方向における途中位置に前記底板６が設けられている。図示実施の形態においては、前記底板６は、第１排水口３ａ、３ａの上下方向における中央位置よりも上方に位置するように設けられている。具体的には、底板６は、メインバー２０とほぼ同一の長さからなるとともに、第１排水口３ａを形成するメインバー２０、２０間の間隔の寸法よりも小さな幅寸法からなる。また、底板６は、その幅方向の両側端部が下方に下がるように幅方向の中央位置で屈曲している。そして、この底板６は、排水口形成部材４、４、詳細には、前記第１排水口３ａ、３ａを形成するように隣接して並ぶメインバー２０、２０の、上下方向における途中位置に、図示実施の形態においては、上下方向における中央位置よりも上方に位置するように固定されている。ここで、底板６は、その両側端部と前記メインバー２０、２０（詳しくは、メインバー２０、２０の側面）との間に間隙６ａ、６ａが形成されるように、それらメインバー２０、２０間に配備され、かつ、それらメインバー２０、２０の側面部に溶接により固定されている（図１および図４において、溶接部分を６ｃ、６ｃで示すが、この溶接部分６ｃ、６ｃは、図示の箇所に限定されるわけではなく、様々に変更可能である。）。これにより、底板６の上方には、その底板６と排水口形成部材４、４（第１排水口３ａ、３ａを形成するように隣接して並ぶメインバー２０、２０）とで囲まれた、詰め込み材５を収容可能な空間７ａが形成されることとなる。すなわち、底板６の上方は、詰め込み材５が収容される収容部７となる。そして、底板６と、第１排水口３ａ、３ａを形成するように隣接して並ぶメインバー２０、２０、すなわち、詰め込み材５を挟む排水口形成部材４、４との間には、間隙６ａ、６ａが設けられることとなり、それらの間隙６ａ、６ａが前記収容部７と底板６の下方とを連通する排水通路８となっている。また、底板６は、その上面に、間隙６ａ、６ａに向かって直線状に下る傾斜面６ｂ、６ｂを有することとなる。
【００２５】
ここで、メインバー２０、２０の上端部の一方の突条２０ａ、２０ａは、底板６よりも上方において、収容部７の開口を狭めるように側方に突き出る突出部７ｂ、７ｂとなっている。また、前記補助バー２１、２１は、収容部７の上部を一部遮っている（図２および図３参照。）。そして、それら突出部７ｂ、７ｂと補助バー２１、２１とが、前記抜け止め手段９となっている。
【００２６】
詰め込み材５は、例えば、セラミックとか天然石等の粒状物が、接着材によって固められて形成されている。図示実施の形態においては、詰め込み材５は、グレーチング１が配備される場所の周囲の景観と合った色調等を備えるセラミックとか天然石等の粒状物と、例えば、エポキシ樹脂系等の接着材とを混ぜ合わせた詰め込み材原料が、その接着材が固化する前に、前記収容部７に充填され、その後に、接着材が固化することにより形成されている。
【００２７】
次に、以上の構成からなるグレーチング１の作用効果について説明する。このグレーチング１によれば、このグレーチング１が配備される場所の周囲の景観と合った詰め込み材５がグレーチング本体２の上方に臨むように設けられているので、周囲の景観と調和よく配備することができる。ここで、詰め込み材５は、収容部７に収容されることでグレーチング本体２の上方に臨むように設けられるわけであるが、その収容部７は、排水口３を形成する排水口形成部材４、４（メインバー２０、２０）に底板６を固定することで形成できるので、グレーチング本体２を簡単な構成とすることができる。また、このグレーチング１を側溝とか集水枡等の排水設備に配備すると、道路上を流れる雨水等は、詰め込み材５で塞がれていない排水口３、すなわち、第２排水口３ｂにおいては、その開口を通って排水設備内に排出されるとともに、詰め込み材５で塞がれた排水口３、すなわち、第１排水口３ａにおいては、詰め込み材５内に浸透し、排水通路８としての間隙６ａ、６ａを通って排水設備内に排出される。したがって、グレーチング１は、排水性に優れたものとなる。
【００２８】
また、図示実施の形態においては、底板６が間隙６ａ、６ａに向かって下る傾斜面６ｂ、６ｂを有するので、前記詰め込み材５内に浸透した雨水等は、傾斜面６ｂ、６ｂ上を間隙６ａ、６ａに向かって流れ落ち、確実にそれら間隙６ａ、６ａに流れ込むので、詰め込み材５内に滞留する虞が少なく、確実に排水される。したがって、グレーチング１は、さらに排水性に優れたものとなっている。
【００２９】
また、底板６が、複数の排水口３、３のうちの一部の排水口（第１排水口３ａ）の上下方向における途中位置に設けられることから、詰め込み材５が収容される収容部７は、前記一部の排水口（第１排水口３ａ）の上下方向における途中位置よりも上方の部分となる。図示実施の形態においては、底板６が、前記一部の排水口（第１排水口３ａ）の上下方向における中央位置よりも上方に位置するように設けられることから、収容部７は、前記一部の排水口（第１排水口３ａ）の上部部分となる。そして、この収容部７に詰め込み材５が収容されて、前記一部の排水口（第１排水口３ａ）は、詰め込み材５で塞がれる。したがって、前記一部の排水口３（第１排水口３ａ）を塞ぐための詰め込み材５の容量を小さくすることができ、コストを抑えることができるとともに、排水性を向上させることができる。
【００３０】
また、グレーチング本体２が抜け止め手段９を有するので、詰め込み材５は、収容部７から抜け出るのが阻止され、収容部７内に保持される。
【００３１】
図５および図６は、本発明の第２の実施の形態を示す。この第２の実施の形態においては、第１の実施の形態と比較して、排水通路８および抜け止め手段９の態様が異なるが、排水口形成部材４、４や詰め込み材５の態様は同じであり、以下に異なる部分を主に説明する。
【００３２】
底板６は、メインバー２０とほぼ同一の長さからなるとともに、第１排水口３ａを形成するメインバー２０、２０間の間隔の寸法とほぼ同一の幅寸法からなり、その幅方向の中央部分が下方に下がるように円弧状に湾曲している。また、底板６の幅方向の中央部分には、複数の貫通孔６ｄ、６ｄが、底板６の延びる方向（長手方向）に並ぶように形成されている。すなわち、底板６は、その上面に、貫通孔６ｄ、６ｄに向かって曲線状に下る傾斜面６ｂ、６ｂを備える。ここで、この貫通孔６ｄ、６ｄが、収容部７と底板６の下方とを連通する排水通路８となっている。そして、この底板６は、第１排水口３ａ、３ａを形成するように隣接して並ぶメインバー２０、２０の上下方向における途中位置に、具体的には、上下方向における中央位置よりも上方に位置するように、それらメインバー２０、２０の側面部に固定されている。
【００３３】
そして、貫通孔６ｄには、詰め込み材５が収容部７から上方に抜け出るのを阻止する抜け止め手段９となる抜け止め具９ａが挿通されている。この抜け止め具９ａは、上部に詰め込み材５と掛かり合う掛け止め部９ｂを有して、前記貫通孔６ｄを完全に塞ぐことなく排水通路８を一部に残すように、かつ、下部が底板６から下方に突き出るように挿通されている。図示実施の形態においては、抜け止め具９ａは、ネジ部材１０からなっている。このネジ部材１０は、貫通孔６ｄの内径寸法より小さな外形寸法である軸部１０ａと、詰め込み材５と掛かり合う前記掛け止め部９ｂとなるネジ頭部１０ｂとを備えている。そして、ネジ部材１０は、貫通孔６ｄに挿入され、軸部１０ａの先端部分が底板６の下面から下方に突き出て、かつ、ネジ頭部１０ｂが底板６の上面より上方に位置するように、前記貫通孔６ｄに取り付けられている。詳細には、ネジ部材１０は、その軸部１０ａの外周と貫通孔６ｄの内周との間に隙間ができるように、前記軸部１０ａの一部が前記貫通孔６ｄの内周に当接し、その当接箇所において溶接されるようにして、貫通孔６ｄに取り付けられている。
【００３４】
ところで、メインバー２０は、第１の実施の形態と同様に、上下の端部に突条２０ａ、２０ａを備えている。そして、上端部の突条２０ａ、２０ａは、底板６よりも上方において、収容部７の開口を狭めるように側方に突き出る突出部７ｂ、７ｂとなっている。また、補助バー２１も、第１の実施の形態と同様であって、収容部７の上部を一部遮っている。したがって、それら突出部７ｂ、７ｂと補助バー２１も、前記抜け止め手段９となっている。
【００３５】
この第２の実施の形態のグレーチング１によれば、周囲の景観と調和よく配備することができる。また、道路上を流れる雨水等が、第２排水口３ｂにおいては、その開口を通って排水設備内に排出されるとともに、第１排水口３ａにおいては、詰め込み材５内に浸透し、排水通路８としての貫通孔６ｄ、６ｄを通って排水設備内に排出されるので、グレーチング１は、排水性に優れたものとなる。
【００３６】
また、図示実施の形態においては、底板６が貫通孔６ｄ、６ｄに向かって下る傾斜面６ｂ、６ｂを有するので、前記詰め込み材５内に浸透した雨水等は、傾斜面６ｂ、６ｂ上を貫通孔６ｄ、６ｄに向かって流れ落ち、確実にそれら貫通孔６ｄ、６ｄに流れ込むので、詰め込み材５内に滞留する虞が少なく、確実に排水される。したがって、さらに排水性に優れたものとなっている。
【００３７】
また、グレーチング本体２は、抜け止め手段９を備えており、詰め込み材５が収容部７内から抜け出るのを阻止することができるわけであるが、この実施の形態においては、その抜け止め手段９は、突出部７ｂ、補助バー２１、および、貫通孔６ｄに取り付けられた抜け止め具９ａからなるので、抜け止め手段９が突出部７ｂと補助バー２１とからなる場合（第１の実施の形態）と比較して、一層確実に詰め込み材５の抜けを阻止することができる。例えば、グレーチング本体２に、亜鉛メッキを施すと、詰め込み材５とその亜鉛メッキとの密着性が悪いことから、人や車の交通量の多い場合などにおいては、詰め込み材５が収容部７から抜け出てしまう虞があるが、抜け止め手段９が抜け止め具９ａをも備えることで、グレーチング本体２に亜鉛メッキを施しても、詰め込み材５が収容部７から抜け出る虞が少なくなる。
【００３８】
また、抜け止め具９ａは、貫通孔６ｄを完全に塞ぐことなく排水通路８を一部に残し、さらに、その抜け止め具９ａの下部が底板６の下方に突き出るようにして、前記貫通孔６ｄに取り付けられているので、詰め込み材５内に浸透した雨水等は、排水通路８（貫通孔６ｄ、６ｄ）を通り抜けるように、抜け止め具９ａを伝い落ちることができ、確実に底板６の下方に導かれる。したがって、雨水等が詰め込み材５内に滞留する虞がさらに少なくなっている。
【００３９】
なお、本発明は、上述した実施の形態に限定されるわけではなく、その他種々の変更が可能である。第１および第２の実施の形態においては、排水口３、３は、第１排水口３ａ、３ａと第２排水口３ｂ、３ｂとが交互に並ぶように形成されているが、これに限定されず、例えば、図７に示すように第２排水口３ｂ、３ｂが連続して並んでいたり、あるいは、第１排水口３ａ、３ａが連続して並んでいたりしてもよい。また、第１排水口３ａを形成するメインバー２０、２０間の間隔寸法が第２排水口３ｂを形成するメインバー２０、２０間の間隔寸法より大きい必要はなく、両者が同じであってもよいし、あるいは、第２排水口３ｂの間隔寸法のほうが大きくてもよい。
【００４０】
また、排水通路８は、第１の実施の形態あるいは第２の実施の形態のように、底板６と、排水口形成部材４、４との間に設けられた間隙６ａ、６ａ、あるいは、底板６に形成された貫通孔６ｄ、６ｄのいずれかからなる必要はなく、図７に示すように、間隙６ａ、６ａと貫通孔６ｄ、６ｄの両方からなってもよい。こうすることで、詰め込み材５内に浸透した雨水等は、間隙６ａ、６ａおよび貫通孔６ｄ、６ｄの両方を通って排水されるので、詰め込み材５内に滞留する虞がなく、確実に排水される。ところで、第１の実施の形態および図７に示す実施の形態においては、底板６は、その全長に渡って第１排水口３ａを形成するメインバー２０、２０間の間隔の寸法よりも小さな幅寸法で形成されているが、これに限定されず、その底板６の両側部の一部に、側方に突き出る突出部を備えることにより、部分的に、第１排水口３ａを形成するメインバー２０、２０間の間隔の寸法とほぼ同一寸法となるように形成されてもよい。この場合、底板６が、部分的に排水口形成部材４、４の側面部に当接するように取り付けられた状態で、その底板６の両側端部と排水口形成部材４、４との間に間隙６ａ、６ａが形成されることとなる。
【００４１】
また、第１の実施の形態においては、底板６の上面の傾斜面６ｂ、６ｂは、直線状に傾斜しているが、第２の実施の形態のように曲線状に傾斜していてもよい。同様に、第２の実施の形態においては、傾斜面６ｂ、６ｂは、曲線状に傾斜しているが、第１の実施の形態のように、直線状に傾斜していてもよい。なお、図示実施の形態においては、傾斜面６ｂ、６ｂは、底板６が屈曲あるいは湾曲されることにより形成されているが、これに限定されず、例えば、図８に示すように、底板６を平板状に形成し、その底板６の、一方の側端部が、他方の側端部よりも下方に位置し、かつ、一方の側端部と排水口形成部材４との間に間隙６ａが形成されるように、底板６を排水口形成部材４に取り付けてもよい。さらには、底板６は、必ずしも、その上面に傾斜面６ｄを備える必要はない（図７参照）。
【００４２】
また、第１および第２の実施の形態においては、底板６は、その詰め込み材５が収容される収容部７の大きさを小さくして、第１排水口３ａを塞ぐための詰め込み材５の容量を小さくするために、第１排水口３ａの上下方向における途中位置に（詳細には、上下方向
における中央位置よりも上方に位置するように）設けられているが、詰め込み材５の容量を小さくする必要がなければ、底板６は、第１排水口３ａの下端近辺に設けられてもよい。さらに、底板６は、メインバー２０、２０の間に配備される必要はなく、メインバー２０、２０の下方に配備されて、そのメインバー２０、２０の下端面等に固定されてもよい。
【００４３】
また、抜け止め手段９を構成する抜け止め具９ａは、上部に詰め込み材５と掛かり合う掛け止め部９ｂを有するものであればよく、例えば、上部に径大部を備えるピン部材とか、上部が側方に折り曲げられた棒部材等からなっていてもよい。さらに、抜け止め具９ａは、設けられなくてもよい。
【００４４】
また、排水口形成部材４としてのメインバー２０は、縦断面Ｉ字形状をしていなくてもよく、例えば、縦断面Ｔ字形状とかその他の形状であってもよい。
【００４５】
また、詰め込み材は、化粧材としての機能を備えるだけでなく、スリップ防止材としての機能を兼ね備えるものであってもよい。この点、第１および第２の実施の形態においては、詰め込み材５は、粒状物が接着材で固められて形成されているので、その上面にわずかな凹凸が形成されることとなる。そして、その詰め込み材５の上面が、メインバー２０の上面と面一となっているので、詰め込み材５は、スリップ防止材としての機能を備える。
【図面の簡単な説明】
【００４６】
【図１】この発明に係るグレーチングの第１の実施の形態の、一部切り欠き平面図である。
【図２】同じく、図１におけるＡ−Ａ線による拡大断面図である。
【図３】同じく、図１におけるＢ−Ｂ線による拡大断面図である。
【図４】同じく、要部拡大平面図である。
【図５】この発明に係るグレーチングの第２の実施の形態の、一部切り欠き平面図である。
【図６】同じく、図５におけるＣ−Ｃ線による拡大断面図である。
【図７】この発明に係るグレーチングの他の実施の形態の、拡大断面図である。
【図８】この発明に係るグレーチングのさらに他の実施の形態の、拡大断面図である。
【図９】従来のグレーチングの、一部切り欠き平面図である。
【図１０】同じく、一部を切り欠いた拡大斜視図である。
【符号の説明】
【００４７】
１    グレーチング
２    グレーチング本体
３    排水口
３ａ  第１排水口
３ｂ  第２排水口
２０  メインバー
５    詰め込み材
６    底板
６ａ  間隙
６ｂ  傾斜面
６ｄ  貫通孔
７    収容部
８    排水通路
９    抜け止め手段
９ａ  抜け止め具
【手続補正３】
【補正対象書類名】図面
【補正対象項目名】図１
【補正方法】変更
【補正の内容】
【図１】
2006177121.tif 000001
【手続補正４】
【補正対象書類名】図面
【補正対象項目名】図５
【補正方法】変更
【補正の内容】
【図５】
2006177121.tif 000002